(57)【要約】【課題】測定・検査の対象となる回路素子に対する入力側回路が正常に作動しているか否かを判別し得る表示パネルの構成を提供すること。【解決手段】測定・検査の対象となる個別の回路素子５に対応する表示ランプ４をパネル７に配列し、個別の回路素子５を装着している複数個の集積回路８に対応するグループ毎に、表示ランプ４を区分し、個別の回路素子５の集積回路８内における配列の順序に対応して、各グループ内の表示ランプ４の配列順序を設定し、各グループ内の各表示ランプ４に対応する入出力端子６は、個別の回路素子５を装着している複数個の集積回路８の入出力端子６に対して着脱自在に設けられた測定・検査用端子と相互に着脱自在となるような位置に配置されていることに基づき、前記課題を達成することができる回路素子５に対する測定・検査を行う入力側回路の作動状況判別表示用パネル７。【選択図】図１
0003126543.tif 000002
【実用新案登録請求の範囲】
【請求項１】
測定・検査の対象となる個別の回路素子に対応する表示ランプをパネルに配列し、個別の回路素子を装着している複数個の集積回路に対応するグループ毎に、表示ランプを区分し、個別の回路素子の集積回路内における配列の順序に対応して、各グループ内の表示ランプの配列順序を設定し、各グループ内の各表示ランプに対応する入出力端子は、個別の回路素子を装着している複数個の集積回路の入出力端子に対して着脱自在に設けられた測定・検査用端子と相互に着脱自在となるような位置に配置されていることに基づく回路素子に対する測定・検査を行う入力側回路の作動状況判別表示用パネル。
【請求項２】
第１のリレースイッチ及び第２のリレースイッチを設け、第１のリレースイッチは、入力側回路からの入力を複数個のグループのうちの何れかの集積回路を選択して接続しており、第２のリレースイッチは、各集積回路内の個別の回路素子の何れかを選択して接続することができる回路素子に対する測定・検査を行う入力回路と接続可能であることを特徴とする請求項１記載の回路素子に対する測定・検査を行う入力側回路の作動状況判別表示用パネル。
【請求項３】
第１のリレースイッチの入力側に、入力電圧回路及び測定・検査回路を備え、出力側には個別の回路素子に対し、測定・検査に必要な電圧をインプットするための各作動電圧回路を備えており、第２のリレースイッチの入力側に、前記各作動電圧回路を備え、出力側に各集積回路に装着された個別の回路素子を備えていることを特徴とする請求項２記載の回路素子に対する測定・検査を行う入力側回路の作動状況判別表示用パネル。
【請求項４】
入力電圧回路がパルス電圧発生回路であり、作動電圧回路が充放電回路であって、かつ個別の回路素子に対して各静電気保護回路を備えることによって、測定・検査を行う入力側回路が静電気破壊試験回路であることを特徴とする請求項３記載の回路素子に対する測定・検査を行う入力側回路の作動状況判別表示用パネル。
【請求項５】
各グループ毎に表示ランプのカラーが異なることを特徴とする請求項１、２、３、４記載の測定・検査の対象となる回路素子に対する入力側の作動状況判別表示用パネル。
【考案の詳細な説明】
【技術分野】
【０００１】
本考案は、集積回路に装着されている個別の回路素子を測定・検査するための入力側回路が、正常に作動しているか否かを事前にチェックし得ることを可能とする作動状況判別表示用パネルに関するものとである。
【背景技術】
【０００２】
集積回路上には、色々な回路素子が搭載されているが、これらの回路素子の特性又は耐性を事前に測定・検査することは、回路設計において必要不可欠なプロセスとされている。
【０００３】
特に、近年回路素子の小型化、更にはコンパクトな配列によって回路素子の耐静電圧特性は著しく低下している。
【０００４】
個別の回路素子に対する静電破壊試験は極めて重要な意義を有している。
【０００５】
前記静電破壊試験においては、測定・検査の対象となる個別の回路素子に対する静電保護回路を配列している集積回路を単位として行われるが、個別の回路素子に対応して備えられている静電保護回路に対し、静電破壊試験を行うための電圧が入力する場合には、パルス発生回路、電圧計並びに電流計等による測定・検査回路、当該パルス発生回路からの電圧を充電し、かつ静電保護回路側に静電破壊試験に必要な電圧を発生する複数個の放電電圧発生回路を各集積回路毎に対応して設けると共に、第１のリレースイッチを前記電圧計並びに電流計等による測定・検査回路と複数個の放電電圧発生回路の間に設け、第２のリレースイッチを各放電電圧発生回路と各集積回路に装着されている個別の回路素子に対応している静電気保護回路との間に備えている。
【０００６】
このように、静電破壊試験においては、個別の回路素子に対応する静電気保護回路に対する入力回路が形成されているが、当該入力回路は常に正常に作動する訳ではなく、特に第１のリレースイッチ又は第２のリレースイッチが正常に作動しない場合には、特定の集積回路に装着されている静電保護回路全体、又は個別の集積回路内における静電保護回路に対する静電破壊試験が実際には実現していないというアクシデントが生じ得ることになる。
【０００７】
前記アクシデントは、静電破壊試験に限定される訳ではない。
【０００８】
即ち、１個の入力電圧回路（パルス発生回路）に接続され、かつ測定・検査に必要な電圧を発生する複数個の作動電圧回路（充放電回路）を設けたうえで、入力電圧回路と複数個の作動電圧回路との間に第１のリレースイッチを設け、かつ個別の作動電圧回路と検査・測定の対象となっている個別の回路素子との間に第２のリレースイッチを設けた場合には、各作動電圧回路の何れか、又は各リレースイッチが正常に作動していない場合が少なからず生じており、このような場合には、全体として行われた測定・検査（静電破壊試験）について、故障箇所を点検したうえで改めてもう一度繰り返すという無駄な作業を余儀なくされる。
【０００９】
このような場合、事前に回路素子に対する測定・検査を行う入力側回路が正常に作動しているか否かを判別し得るのであれば、前記のような無駄な作業を避けることが可能となる。
【００１０】
しかしながら、このように事前に測定・検査を行うような入力側回路における作動状況が正常であるか否か、更には正常でない場合に、如何なる部位が不正常であるかについて事前に判別し、かつ察知することを可能とするような器具又は装置はこれまで提唱されていなかった。
【考案の開示】
【考案が解決しようとする課題】
【００１１】
本考案は、測定・検査の対象となる回路素子に対する入力側回路が正常に作動しているか否かを判別し得る表示用パネルの構成を提供することを課題としている。
【課題を解決するための手段】
【００１２】
前記課題を解決するため、本考案の基本構成は、測定・検査の対象となる個別の回路素子に対応する表示ランプをパネルに配列し、個別の回路素子を装着している複数個の集積回路に対応するグループ毎に、表示ランプを区分し、個別の回路素子の集積回路内における配列の順序に対応して、各グループ内の表示ランプの配列順序を設定し、各グループ内の各表示ランプに対応する入出力端子は、個別の回路素子を装着している複数個の集積回路の入出力端子に対して着脱自在に設けられた測定・検査用端子と相互に着脱自在となるような位置に配置されていることに基づく回路素子に対する測定・検査を行う入力側回路の作動状況判別表示用パネルからなる。
【考案の効果】
【００１３】
本考案においては、各集積回路に対応するグループ毎に配列されている個別の回路素子に対する測定・検査に先立ち、当該測定・検査を行う入力側回路が正常に作動している場合には、表示ランプが点灯するのに対し、前記入力側回路が正常に作動していない場合には、各グループ全体の表示ランプが点灯しないか、又は各グループとしての特定の位置における表示ランプが点灯しないことによって、個別の集積回路に対応する入力側回路又は個別の回路素子に対応する入力側回路における不正常状態を迅速かつ容易に察知することが可能となる。
【考案を実施するための最良の形態】
【００１４】
図１は、本考案の基本構成及び基本原理を示している。
【００１５】
具体的に説明するに、個別の回路素子５、及び当該回路素子５に対応する入出力端子６は、図１（ａ）に示すように、各集積回路８を単位として配列されているが、本考案の表示用パネル７は、図１（ｂ）に示すように、個別の回路素子５に対応する表示ランプ４をパネル７に設け、しかも、各集積回路８に対応するグループに従って表示ランプ４を区分けし、しかも回路素子５の集積回路８内の配列の順序に従って、表示ランプ４の各グループ内における配列順序を設定している。
【００１６】
個別の回路素子５に対する測定・検査においては、予め入力側回路においては、各集積回路８の入出力側端子を着脱自在の状態にある測定・検査用端子６０を設けているが、本考案に係る表示用パネル７においては、図１（ｂ）に示すように、表示ランプ４に対応する入出力端子６もまた、前記のような各グループ毎に区分けされており、しかも入力側回路に設けた前記測定・検査用端子６０に対して各集積回路８の入出力端子６と同様に着脱自在となるような設計が行われている。
【００１７】
図２（ａ）、（ｂ）は、第１のリレースイッチ２１及び第２のリレースイッチ２２を設け、第１のリレースイッチ２１は、入力側回路からの入力を複数個のグループのうちの何れかのグループを選択して接続することが可能であり、第２のリレースイッチ２２は、各グループ内の回路素子５又は表示ランプ４の何れかを選択して接続することが可能であることを特徴とする回路素子５に対する測定・検査を行う入力側回路の作動状況判別表示用パネル７の実施形態を示している。
【００１８】
即ち、実際の測定・検査において、図２（ａ）に示すように、第１のリレースイッチ２１の入力側に、入力電圧回路１１及び測定・検査回路を備え、出力側に各作動電圧回路１２を備えており、第２のリレースイッチ２２の入力側に、前記各作動電圧回路１２を備え、出力側に各集積回路８に装着された回路素子５を備えていることを特徴とする実施形態においては、入力電圧回路１１→測定・検査回路→第１のリレースイッチ２１→複数個の作動電圧回路１２→第２のリレースイッチ２２→個別の回路素子５という順序による電圧の印加又は電流の導電に基づいて、個別の回路素子５に対する測定・検査が行われる場合において、予め図２（ｂ）に示す本考案のパネル７を入力側の測定・検査用端子６０と接続し、しかも第１のリレースイッチ２１及び第２のリレースイッチ２２によって順次入力電圧回路１１及び作動電圧回路１２からの入力を各表示ランプ４に対して印加した場合には、表示ランプ４の点滅の可否によって、各集積回路８に対応している各グループ毎、更にはグループ内の個別の入力部位が正常であるか否かを簡単に察知することが可能となる。
【００１９】
特に、入力電圧回路１１がパルス電圧発生回路を構成しており、作動電圧回路１２が充放電回路を構成しており、測定・検査の対象となる回路素子５に対応して、静電気放電保護回路を備えることによって、個別の回路素子５に対する静電気破壊試験を実現する場合には、本考案の表示用パネル７は極めて好適に本来の機能を発揮することができる。
【実施例】
【００２０】
実施例においては、各グループ毎に表示ランプ４のカラーが異なることを特徴としている。
【００２１】
このように、グループ毎にランプのカラーを変えることによって、本願の利用者は如何なるグループにおいて不正常な状態が続いているかを直感的に察知することが可能となる。
【産業上の利用可能性】
【００２２】
本考案は、単に静電破壊試験だけでなく、多数のグループ毎に区分けされている集積回路上において配列されている個別の回路素子の測定・検査を行う入力側回路を作動させる技術分野において、広範に利用することが可能である。
【図面の簡単な説明】
【００２３】
【図１】個別の回路素子及びこれに接続されている入出力端子と、本考案の表示ランプ及び接続されている入出力端子との対応関係、及び前記各入出力端子と測定用端子との対応関係を示しており、（ａ）は、測定・検査の対象となる回路素子が各集積回路毎に各入出力端子と接続された状態にて配列されており、当該入出力端子が測定・検査用端子と着脱自在の状態であることを模式的に示しており（上下方向の矢印は着脱自在であることを示している。）、（ｂ）は、表示ランプが各集積回路に対応したグループ毎に区分けし、かつ対応する個別の回路素子の配列順序に従って、配列され、かつ各出力端子と接続された状態にあるパネルを示している（尚、課題を解決するための手段の項及び考案を実施するための最良の形態の項において説明したように、表示ランプに対応する入出力端子６もまた測定・検査用端子と着脱自在の状態にあり、前記（ａ）と同様の図示が可能である。）。
【図２】本考案の表示用パネルを使用した場合の典型的な実施形態を示す回路ブロック図であって、（ａ）は測定・検査の対象となる回路素子を入力側回路の端子と接続した状態を示しており、（ｂ）は本考案による表示用パネルに配列された各ランプを入力側回路の端子と接続した状態を示している。  尚、（ａ）、（ｂ）における６及び６０は、各入出力端子と測定・検査の対象となる回路端子とが結合した状態を示している。
【符号の説明】
【００２４】
１１  入力電圧回路
１２  作動電圧回路
２１  第１のリレースイッチ
２２  第２のリレースイッチ
３  測定・検査装置（電圧計及び電流計）
４  表示ランプ
５  回路素子
６  入出力端子
６０  測定・検査用端子
７  パネル
８  集積回路
【図１】
0003126543.tif 000003
【図２】
0003126543.tif 000004
【手続補正書】
【提出日】平成18年8月28日(2006.8.28)
【手続補正１】
【補正対象書類名】実用新案登録請求の範囲
【補正対象項目名】請求項２
【補正方法】変更
【補正の内容】
【請求項２】
第１のリレースイッチ及び第２のリレースイッチを設け、第１のリレースイッチは、電源からの入力を複数個のグループのうちの何れかの集積回路を選択して接続しており、第２のリレースイッチは、各集積回路内の個別の回路素子の何れかを選択して接続することができる回路素子に対する測定・検査を行う入力回路と接続可能であることを特徴とする請求項１記載の回路素子に対する測定・検査を行う入力側回路の作動状況判別表示用パネル。
【手続補正２】
【補正対象書類名】明細書
【補正対象項目名】００１７
【補正方法】変更
【補正の内容】
【００１７】
図２（ａ）、（ｂ）は、第１のリレースイッチ２１及び第２のリレースイッチ２２を設け、第１のリレースイッチ２１は、電源からの入力を複数個のグループのうちの何れかのグループを選択して接続することが可能であり、第２のリレースイッチ２２は、各グループ内の回路素子５又は表示ランプ４の何れかを選択して接続することが可能であることを特徴とする回路素子５に対する測定・検査を行う入力側回路の作動状況判別表示用パネル７の実施形態を示している。